(57)【要約】      （修正有）【課題】香りのテストをするために必要な香りの飛散を用事にのみ限定し、テスターとしての機能を長期保持するとともに、簡単な構造で、操作も容易な容器を提供する。【解決手段】香り物質を含浸させたものを入れる径１０〜４０ｍｍ、高さ５〜１５ｍｍの円形容器であり、上部は２層構造で、両方の層に２〜７ｍｍの同じ径の円形解放孔を２〜６個それぞれ同数有している。容器上部の２層の外側のカバー層４を回転させて、２層の解放孔を互いに一致させ、解放孔をオープンにして香りをテストし、テスト後は内側の層５の解放孔を閉じるように外側カバー層を回転させる。【選択図】図４
0003213387.tif 000002
【実用新案登録請求の範囲】
【請求項１】
香り物質を含浸させたものを入れる円形容器（径１０〜４０ｍｍ、高さ５〜１５ｍｍ）の上部は２層構造であり、両方の層に同じ径（２〜７ｍｍ）の香りの円形解放孔を同数（２〜６個）有している香りテスター容器。
【請求項２】
容器上部の２層の外側のカバー層を回転させて、２層の解放孔を互いに一致させ、解放孔をオープンにして香りをテストし、テスト後は内側の層の解放孔を閉じるように外側カバー層を回転させる工程があることを特徴とする請求項１記載の香りテスター容器。
【請求項３】
香り物質を含浸させたものを入れる正方形の容器（辺長２０〜４０ｍｍ、高さ５〜１５ｍｍ）の外側に長方形のカバー容器（辺長２０〜４０ｍｍ×４０〜８０ｍｍ、高さ５〜１５ｍｍ）を重ねた２層構造であり、両方の容器の上部層に同じ角形で同じサイズ（辺長２〜７ｍｍ）の香りの角形解放孔を同数（２〜６個）有している香りテスター容器。
【請求項４】
容器上部の２層の外側のカバー容器をスライドさせて、２層の解放孔を互いに一致させ、解放孔をオープンにして香りをテストし、テスト後は内側の層の解放孔を閉じるように外側カバー容器をスライドさせる工程があることを特徴とする請求項３記載の香りテスター容器。
【考案の詳細な説明】
【考案の詳細な説明】
【技術分野】
【０００１】本考案は、香りのテスターの容器に関するものである。
【背景技術】
【０００２】一般に香料、精油、芳香剤及び洗剤等の香りを、消費者が購入前に選択及び確認するためのテスターは、常時解放系の容器を使用しているのが通常である。【０００３】香りテスターの容器は実用新案登録第３１４４０１７号にみられるが、香料収納体を用事挟圧して、香りを噴出孔から放出する仕組みである。公開実用新案平６−６８６２１はケーシングと蓋体に芳香剤のボトルをセットするテスター容器である。特許公開２００９−５４４８３３は使用時に砕けやすい外周部分と芳香性化合物を含む内側部分から構成されるテスター内容物のものである。特許出願公表２００８−５３４１１０は芳香剤を塗布するアプリケーターを装着したテスターである。【０００４】構成要素が簡単で、且つ香りの放出を用事のみにする香りテスター容器は無い。【０００５】本考案は、テスターに限定するものでなく、香り製品一般の携帯容器に適用できる。
【先行技術文献】
【実用新案文献】
【０００６】
【実用新案文献】
実用新案登録第３１４４０１７号
【実用新案文献】
公開実用新案平６−６８６２１
【特許文献】
【０００７】
【特許文献】特許公開２００９−５４４８３３
【特許文献】特許出願公表２００８−５３４１１０
【考案の概要】
【考案が解決しようとする課題】
【０００８】解決しようとする問題点は、香り製品からの香りの放出を消費者がテストする用事に限定し、テストする操作は容易なテスターを提供することである。
【課題を解決するための手段】
【０００９】本考案は、香りの放出を用事に限定し、香りの発散機能を長期間にすることを特徴とする。【００１０】更に、香りのテスト操作の簡単な容器機構であることを特徴とする。
【考案の効果】
【００１１】本考案で、香りのテストをする者は、テストをするその時のみに香りを嗅ぎ、他の香りとの混合を避けることができ、且つテスターの使用期間が長くなるという利点がある。
【図面の簡単な説明】
【００１２】
【図１】円形回転式の香りテスター容器の外観
【図２】円形回転式の香りテスター容器の２層からなる容器上部の解放孔を閉じた状態
【図３】円形回転式の香りテスター容器の２層からなる容器上部の解放孔を一致させて解放した状態
【図４】円形回転式の香りテスター容器の２層からなる容器上部の解放孔を閉じた状態の断面図
【図５】角型スライド式の香りテスター容器の外観
【図６】角型スライド式の香りテスター容器の２層からなる容器上部の解放孔を閉じた状態
【図７】角型スライド式の香りテスター容器の２層からなる容器上部の解放孔を一致させて解放した状態
【図８】角型スライド式の香りテスター容器の２層からなる容器上部の解放孔を一致させて解放させた状態の断面図
【符号の説明】１  香りテスター容器の容器上部の解放孔
２  ２層からなる容器上部の外側カバーの解放孔
３  ２層からなる容器上部の内側の解放孔
４  香りテスター容器の外側カバー部分
５  香りテスター容器の内側部分
【考案を実施するための形態】
【００１３】消費者が香りのテストをするために、簡単な構成で、容易に使用できるようにして実現した。
【実施例１】
【００１４】実施例１では、容器上部がプラスチック製の２層からなり、同じ大きさの円形解放孔を同数有する円形回転式の香りテスター容器（円径３０ｍｍ、孔径５ｍｍの解放孔を４か所、高さ７ｍｍ）を使用した。【００１５】上記テスター容器にグレープフルーツ香料１ｇを含浸させたフローライトを入れた。【００１６】上記香料含浸フローライトを入れたテスター容器の上部２層の解放孔を合わせて、香りを放出させる操作を１日１０回行った。この操作各回後、２層の外側カバーを回転して、内側の解放孔を閉じるようにする。【００１７】テスター容器からの香りは６か月間認められた。【００１８】他方、上記実施例１と同様に調製したものの２層の解放孔を合わせて開放放置状態にしておくと、容器からの香りは３週間のみ認められた。
【実施例２】
【００１９】実施例２では、容器上部がプラスチック製の２層からなり、同じ大きさの角形解放孔を同数有する角形スライド式の香りテスター容器（２層の内側層は正方形４０ｍｍ四方で外側は長方形４０ｍｍ×８０ｍｍ、角形解放孔３ｍｍ×５ｍｍを６か所、高さ１０ｍｍ）を使用した。【００２０】上記テスター容器（内側）にバラ香料０．５ｇを含浸させたビスコパールを入れた。【００２１】上記香料含浸ビスコパールを入れたテスター容器の上部２層の解放孔を合わせて、香りを放出させる操作を１日１０回行った。この操作各回後、２層の外側カバーをスライドして、下側の解放孔を閉じるようにする。【００２２】テスター容器からの香りは４か月間認められた。【００２３】他方、上記実施例２と同様に調製したものの解放孔を開放放置状態にしておくと、容器からの香りは１か月間のみ認められた。
【実施例３】
【００２４】実施例３では、容器上部がプラスチック製の２層からなり、同じ大きさの円形解放孔を同数有する円形回転式の香りテスター容器（円径２０ｍｍ、孔径３ｍｍの解放孔を４か所、高さ５ｍｍ）を使用した。【００２５】上記テスター容器にラベンダー香料０．７ｇを含浸させたフローライトを入れた。【００２６】上記香料含浸フローライトを入れたテスター容器の上部２層の解放孔を合わせて、香りを放出させる操作を１日１０回行った。この操作各回後、２層の外側カバーを回転して、内側の解放孔を閉じるようにする。【００２７】テスター容器からの香りは６か月間認められた。【００２８】他方、上記実施例３と同様に調製したものの解放孔を開放放置状態にしておくと、容器からの香りは１か月間のみ認められた。
【実施例４】
【００２９】実施例４では、容器上部がプラスチック製の２層からなり、同じ大きさの角形解放孔を同数有する角形スライド式の香りテスター容器（２層の内側層は正方形２０ｍｍ四方で外側層は長方形２０ｍｍ×４０ｍｍ、角形解放孔３ｍｍ×３ｍｍを２か所、高さ６ｍｍ）を使用した。【００３０】上記テスター容器（内側）にバニラ香料０．５ｇを含浸させたパルプフェルトを入れた。【００３１】上記香料含浸パルプフェルトを入れたテスター容器の上部２層の解放孔を合わせて、香りを放出させる操作を１日１０回行った。この操作各回後、２層の外側カバーをスライドして、内側の解放孔を閉じるようにする。【００３２】テスター容器からの香りは５か月間認められた。【００３３】他方、上記実施例４と同様に調製したものの解放孔を開放放置状態にしておくと、容器からの香りは２週間のみ認められた。
【産業上の利用可能性】
【００３４】本考案の香りテスター容器は、香り製品の香りを消費者がテストできる使用期間を大幅に延長するものであり、検知される香りの強さも一定にしようとするものである。
【図１】
0003213387.tif 000003
【図２】
0003213387.tif 000004
【図３】
0003213387.tif 000005
【図４】
0003213387.tif 000006
【図５】
0003213387.tif 000007
【図６】
0003213387.tif 000008
【図７】
0003213387.tif 000009
【図８】
0003213387.tif 000010
【手続補正書】
【提出日】平成29年8月23日(2017.8.23)
【手続補正１】
【補正対象書類名】実用新案登録請求の範囲
【補正対象項目名】全文
【補正方法】変更
【補正の内容】
【実用新案登録請求の範囲】
【請求項１】
香り物質を含浸させたものを入れる径１０〜４０ｍｍ、高さ５〜１５ｍｍの円形容器の上部は２層構造であり、両方の層に２〜７ｍｍの同じ径の香りの円形解放孔を２〜６個それぞれ同数有している香りテスター容器。
【請求項２】
容器上部の２層の外側のカバー層を回転させて、２層の解放孔を互いに一致させ、解放孔をオープンにして香りをテストし、テスト後は内側の層の解放孔を閉じるように外側カバー層を回転させることを特徴とする請求項１に記載の香りテスター容器。
【請求項３】
香り物質を含浸させたものを入れる辺長２０〜４０ｍｍ、高さ５〜１５ｍｍの正方形の容器の外側に辺長２０〜４０ｍｍ×４０〜８０ｍｍ、高さ５〜１５ｍｍの長方形のカバー容器を重ねた２層構造であり、両方の容器の上部層に辺長２〜７ｍの同じ角形で同じサイズの香りの角形解放孔を２〜６個それぞれ同数有している香りテスター容器。
【請求項４】
容器上部の２層の外側のカバー容器をスライドさせて、２層の解放孔を互いに一致させ、解放孔をオープンにして香りをテストし、テスト後は内側の層の解放孔を閉じるように外側カバー容器をスライドさせることを特徴とする請求項３に記載の香りテスター容器。